(57)【要約】【課題】タッチパネルを備える携帯端末において、入力操作や情報表示の利便性及び操作性を向上させる【解決手段】本発明の携帯端末１０は、タッチパネル１１を有する携帯端末１０において、タッチパネル１１を介してユーザからの文字データを受け付ける入力制御部１５と、この文字データに応じた変換候補リスト３１を作成する変換候補作成部１６と、変換候補リスト３１をタッチパネル１１の変換候補表示領域２３に表示し、変換候補リスト３１がタッチパネルの変換候補表示領域２３にすべて表示できない場合、ユーザによるタッチパネル１１との接触が途切れることなくタッチパネル１１上を移動し続ける接触移動中に、変換候補表示領域２３に表示される変換候補リスト３１をこの接触移動に伴ってスクロール表示する画面表示制御部１７と、を備える。【選択図】図２
2009288882.tif 000002
【特許請求の範囲】
【請求項１】
タッチパネルを有する携帯端末において、
前記タッチパネルを介してユーザからの入力データを受け付ける入力受付手段と、
前記入力受付手段により受け付けられた前記入力データに応じた情報を作成する情報作成手段と、
前記情報作成手段によって作成された情報を前記タッチパネルの所定領域に表示する情報表示手段と、
前記情報作成手段によって作成された情報を前記タッチパネルの所定領域にすべて表示できない場合、ユーザによる前記タッチパネルとの接触状態が途切れることなく前記タッチパネル上を移動し続ける接触移動中に、前記所定領域に表示される前記情報を前記接触移動に伴ってスクロール表示する表示制御手段と、
を備えることを特徴とする携帯端末。
【請求項２】
前記表示制御手段は、前記情報を前記タッチパネルの所定領域にすべて表示できない場合、前記情報のスクロール表示を開始するトリガであると共に当該スクロールの方向を決定するスクロールボタンを前記タッチパネル上に表示し、ユーザにより前記スクロールボタンに対して接触操作がなされると、当該接触操作から継続した前記接触移動中に、前記所定領域に表示される前記情報を前記接触移動に伴ってスクロール表示することを特徴とする、請求項１に記載の携帯端末。
【請求項３】
前記スクロールボタンにより決定されるスクロールの方向が任意に選択可能であることを特徴とする、請求項２に記載の携帯端末。
【請求項４】
前記入力データが文字データであり、
前記情報が前記文字データに対応する変換候補であることを特徴とする、
請求項１〜３のいずれか１項に記載の携帯端末。
【請求項５】
タッチパネルを有する携帯端末を用いた情報表示方法であって、
前記タッチパネルを介してユーザからの入力データを受け付ける入力受付ステップと、
前記入力受付ステップにおいて受け付けられた前記入力データに応じた情報を作成する情報作成ステップと、
前記情報作成ステップにおいて作成された情報を前記タッチパネルの所定領域に表示する情報表示ステップと、
前記情報作成ステップにおいて作成された情報を前記タッチパネルの所定領域にすべて表示できない場合、ユーザによる前記タッチパネルとの接触状態が途切れることなく前記タッチパネル上を移動し続ける接触移動中に、前記所定領域に表示される前記情報を前記接触移動に伴ってスクロール表示する表示制御ステップと、
を備える情報表示方法。
【発明の詳細な説明】
【技術分野】
【０００１】
本発明は、タッチパネルを有する携帯端末及びこの携帯端末を用いた情報表示方法に関するものである。
【背景技術】
【０００２】
携帯電話やＰＤＡ（Personal DigitalAssistant）などの携帯端末の分野において、従来のハードウェアのキーボードやテン・キーの代わりに、タッチパネルを利用したユーザインタフェースを実装することが期待されている。このユーザインタフェースでは、タッチパネル上に表示されるソフトウェアキーボードを介して文字入力などの入力操作や情報表示が行われる。
【０００３】
一方、携帯端末では、そのサイズ上の制約から、ユーザインタフェース用の装置の占める面積が少ないのが好ましく、例えば特許文献１に示すように、タッチセンサを利用して、ユーザによるタッチセンサ内の接触位置や接触動作（押す、なでるなど）に応じた操作を実行する手法が知られている。
【特許文献１】特開２００６−３２３６６４号公報
【発明の開示】
【発明が解決しようとする課題】
【０００４】
しかし、上述のようなタッチパネルを利用したユーザインタフェースを実装する携帯端末では、ソフトウェアキーボードがディスプレイ上に表示されるため、入力操作や情報表示に制約があり、例えば文字入力の際には変換候補の一部しか表示できないなど利便性に問題がある。
【０００５】
ここで、特許文献１のようなタッチセンサを利用すれば、例えばタッチセンサ上をユーザが指で一方向になぞる動作によって、表示すべき情報をスクロール表示することが可能であるため、上述の入力操作や情報表示の制約を緩和できる可能性がある。しかし、特許文献１に記載の技術では、携帯端末のサイズ上の制約からタッチセンサ用の領域を広くとることができないため、スクロール量を多くする場合にはタッチセンサを繰り返し何度もなぞる動作が必要となるなど操作性に問題がある。
【０００６】
そこで本発明は、上記問題点を解決し、タッチパネルを備える携帯端末において、入力操作や情報表示の利便性及び操作性を向上させることができる携帯端末及びこの携帯端末を用いた情報表示方法を提供することを目的とする。
【課題を解決するための手段】
【０００７】
上記課題を解決するために、本発明の携帯端末は、タッチパネルを有する携帯端末において、タッチパネルを介してユーザからの入力データを受け付ける入力受付手段と、入力受付手段により受け付けられた入力データに応じた情報を作成する情報作成手段と、情報作成手段によって作成された情報をタッチパネルの所定領域に表示する情報表示手段と、情報作成手段によって作成された情報をタッチパネルの所定領域にすべて表示できない場合、ユーザによるタッチパネルとの接触状態が途切れることなくタッチパネル上を移動し続ける接触移動中に、所定領域に表示される情報をこの接触移動に伴ってスクロール表示する表示制御手段と、を備えることを特徴としている。
【０００８】
同様に、上記課題を解決するために、本発明の情報表示方法は、タッチパネルを有する携帯端末を用いた情報表示方法であって、タッチパネルを介してユーザからの入力データを受け付ける入力受付ステップと、入力受付ステップにおいて受け付けられた入力データに応じた情報を作成する情報作成ステップと、情報作成ステップにおいて作成された情報をタッチパネルの所定領域に表示する情報表示ステップと、情報作成ステップにおいて作成された情報をタッチパネルの所定領域にすべて表示できない場合、ユーザによるタッチパネルとの接触状態が途切れることなくタッチパネル上を移動し続ける接触移動中に、所定領域に表示される情報をこの接触移動に伴ってスクロール表示する表示制御ステップと、を備えている。
【０００９】
これらの構成により、ユーザからの入力データに応じて作成された情報をタッチパネルの所定領域にすべて表示できない場合、ユーザによる接触移動中に、所定領域に表示される情報がこの接触移動に伴ってスクロール表示されるため、スクロール表示の操作を受け付ける領域や軌跡に制約を受けることなく簡便にスクロール操作を行うことができ、携帯端末による入力操作や情報表示の利便性及び操作性を向上させることができる。
【００１０】
また、本発明の携帯端末においては、表示制御手段は、情報をタッチパネルの所定領域にすべて表示できない場合、情報のスクロール表示を開始するトリガであると共に当該スクロールの方向を決定するスクロールボタンをタッチパネル上に表示し、ユーザによりスクロールボタンに対して接触がなされると、当該接触操作から継続した接触移動中に、所定領域に表示される情報をこの接触移動に伴ってスクロール表示するのが好適である。
【００１１】
この構成により、ユーザによる接触移動中に、所定領域に表示される情報がスクロールボタンにより決定される方向にスクロール表示されるため、ユーザがどのような軌跡でタッチパネル上を接触移動したとしても所定の方向のみで情報をスクロール表示することができ、携帯端末による入力操作や情報表示の利便性及び操作性をさらに向上させることができる。
【００１２】
また、本発明の携帯端末においては、スクロールボタンにより決定されるスクロールの方向が任意に選択可能であるのが好適である。
【００１３】
この構成により、所定領域に表示される情報が、スクロールボタンにより決定される任意の方向にスクロール表示されるため、ユーザがスクロール方向を適宜選択して所望の情報へ迅速に到達することができ、携帯端末による入力操作や情報表示の利便性及び操作性をさらに向上させることができる。
【００１４】
また、本発明の携帯端末においては、入力データが文字データであり、情報が文字データに対応する変換候補であるのが好適である。これにより、電子メール作成などの文字入力操作の際に特に有効となる。
【発明の効果】
【００１５】
本発明の携帯端末及びこの携帯端末を用いた情報表示方法によれば、タッチパネルを備える携帯端末において、入力操作や情報表示の利便性及び操作性を向上させることができる。
【発明を実施するための最良の形態】
【００１６】
以下、図面を参照して本発明に係る携帯端末及びこの携帯端末を用いた情報表示方法の好適な実施形態について説明する。なお、以下の実施形態では、携帯端末を用いた情報表示方法の一例として、文字入力操作における変換候補のスクロール表示について説明する。
【００１７】
まず、本実施形態に係る携帯端末の構成について説明する。図１は、本実施形態に係る携帯端末の斜視図であり、図２は、図１に示す携帯端末の機能ブロック図であり、図３は、図１中のタッチパネルの表示画面の一例を示す図である。
【００１８】
本実施形態の携帯端末１０は、図１に示すように、本体正面の大部分を占めるようにタッチパネル１１を備え、さらに本体内部に制御部１２を備えている。この携帯端末１０は、従来のハードウェアのテン・キーを持つ携帯電話とは異なり、タッチパネル１１を利用して、文字入力などの入力操作と、この入力操作に応じた情報表示とを併せて行うよう構成されている。
【００１９】
タッチパネル１１は、図２に示すように、操作部１３及び表示部１４を含んで構成されている。操作部１３は、ユーザが指やタッチペン（スタイラス）などでタッチパネル１１に接触している位置を検知する部分であり、具体的には、透明材料などで成形され表示部１４の表示画面を視認可能な状態で表示部１４の表面に取り付けられたパネル部材である。接触位置を検知する手法としては、マトリクススイッチ方式、静電容量方式、光学方式、感圧方式、電磁誘導方式などがある。操作部１３は、ユーザの接触位置を検知すると、この位置情報を制御部１２へ送信する。表示部１４は、制御部１２から受信した各種情報をユーザに提示する部分であり、具体的には液晶ディスプレイや有機ＥＬディスプレイなどである。
【００２０】
タッチパネル１１には、文字入力操作においては図３に示すような画面が標準画面として表示される。図３に示すように、タッチパネル１１の標準画面には、入力された文字列を表示する本文シート２１が画面全体に配置され、この本文シート２１を上から重ねて（オーバーレイして）表示するように漢字及びひらがな入力用の「漢」シート２２ａが配置されている。
【００２１】
この「漢」シート２２ａには、従来の携帯電話のテン・キーと同様の１２個のソフトウェアキーが設けられており、それぞれのキーは、５０音のあ行からわ行までの各行、句読点、記号のいずれかに対応付けられている。そして、ユーザがタッチパネル１１上のこれらのキーの領域に指などで触れたときに、当該キーに対応する文字が選択されて本文シート２１上に表示される。
【００２２】
また、標準画面の下端には、他の文字入力シートとして、「カナ」シート２２ｂ、「Ａａ（英字）」シート２２ｃ、「１２（数字）」シート２２ｄ、「絵」シート２２ｅのタブが配置されている。これらのシート２２ｂ〜２２ｅも、「漢」シートと同様に１２個のソフトウェアキーが設けられており、それぞれ異なる種類の文字に対応付けられている。ユーザがタッチパネル１１上で「カナ」シート２２ｂ、「Ａａ（英字）」シート２２ｃ、「１２（数字）」シート２２ｄ、「絵」シート２２ｅのいずれかのタブに指などで触れて、接触状態を保ったまま上方へスライドさせると、当該タブのシートが画面の最前側に配置されるように画面下方から引き出される。
【００２３】
このように、文字入力シート２２ａ〜２２ｅは、本文シート２１にオーバーレイして表示されることにより、タッチパネル１１の画面全体を使って表示可能として、各シートのキーサイズを大きくして入力ミス防止を図るよう構成されている。また、これらの文字入力シート２２ａ〜２２ｅは、本文シート２１にオーバーレイしたときには例えば本文シート２１に対して半透明で表示され、ユーザが常に本文シート２１を視認できるように構成されている。
【００２４】
また、図３のタッチパネル１１の画面において、上述の文字入力シート２２ａ〜２２ｅのいずれかで文字が入力されると、入力された文字列に応じた変換候補リスト３１（図９参照）が画面上部の変換候補表示領域２３に表示される。上述のように文字入力シート２２ａ〜２２ｅがタッチパネル１１の画面全体に配置されるため、変換候補表示領域２３の大きさは制限される。このため、変換候補リスト３１が変換候補表示領域２３に一度に表示しきれない場合には、表示可能な一部のみ表示した上で、変換候補表示領域２３の右端にスクロールボタン２３ａが表示される。このスクロールボタン２３ａは、変換候補表示領域２３に表示される変換候補リスト３１のスクロール表示を開始するトリガであり、スクロール表示の方向を下方向に決定するものである。
【００２５】
なお、図３に示した下方向のスクロールボタン２３ａの代わりに、上方向へのスクロール表示を開始するトリガとなる逆スクロールボタン２３ｂが変換候補表示領域２３に表示される場合もある。これらのスクロールボタン２３ａ及び逆スクロールボタン２３ｂによる変換候補リスト３１のスクロール表示の詳細については後述する。
【００２６】
再び図２を参照すると、制御部１２は、入力制御部（入力受付手段）１５、変換候補作成部（情報作成手段）１６、及び画面表示制御部（情報表示手段、表示制御手段）１７を含んで構成されている。
【００２７】
入力制御部１５は、タッチパネル１１の操作部１３を介してユーザから入力された入力データを受け付ける。より詳細には、入力制御部１５は、タッチパネル１１に文字入力シート２２ａ〜２２ｅのうちいずれが表示されているかを、例えば画面表示制御部１７から現在の表示内容を受信することにより認識しており、ユーザが現在表示されている文字入力シートのどのボタンを何回触れたかに応じて、入力された文字の種類を識別する。そして、入力制御部１５は、ユーザにより入力された文字データを変換候補作成部１６及び画面表示制御部１７に送信する。
【００２８】
また、入力制御部１５は、ユーザがスクロールボタン２３ａ又は逆スクロールボタン２３ｂに触れたことを検知したときには、変換候補表示領域２３のスクロール表示が開始されるトリガを検出したことを画面表示制御部１７に送信する。
【００２９】
変換候補作成部１６は、入力制御部１５により受け付けられた文字データに応じた変換候補リスト３１を作成する。より詳細には、変換候補作成部１６は、入力制御部１５より文字データを受け取ると、当該文字データを頭文字とする単語を予測し、さらに過去の選択履歴を考慮するなどユーザの傾向に応じて順番を決めて、変換候補リスト３１を作成する。変換候補作成部１６は、作成した変換候補リスト３１を画面表示制御部１７に送信する。
【００３０】
画面表示制御部１７は、入力制御部１５より受信した入力データや、変換候補作成部１６より受信した変換候補リスト３１を利用して、タッチパネル１１の表示部１４に表示される画面の構成を制御する。より詳細には、画面表示制御部１７は、（１）ユーザが文字入力シート２２ａ〜２２ｅのキーに触れた場合には当該キーに応じた文字を本文シート２１に表示すると共に、この文字から予測された変換候補リスト３１を変換候補表示領域２３に表示する、（２）変換候補リスト３１が変換候補表示領域２３に表示しきれない場合に、スクロールボタン２３ａ又は逆スクロールボタン２３ｂを変換候補表示領域２３に表示する、（３）ユーザがスクロールボタン２３ａ又は逆スクロールボタン２３ｂに触れ、そのままタッチパネル１１との接触状態を途切ることなくタッチパネル１１上を移動させ続ける、所謂「接触移動」を検知した場合に、変換候補表示領域２３に表示される変換候補リスト３１を当該移動に伴ってスクロール表示する、などの表示部１４の画面の構成を制御する。
【００３１】
制御部１２は、物理的には、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ(Ｒｅａｄ  Ｏｎｌｙ  Ｍｅｍｏｒｙ)、等のハードウェアにより構成されている。制御部１２を構成する入力制御部１５、変換候補作成部１６及び画面表示制御部１７の各機能は、ＣＰＵ、ＲＡＭ等のハードウェア上に所定のコンピュータソフトウェアを読み込ませることにより、ＣＰＵの制御のもとでタッチパネル１１の操作部１３及び表示部１４を動作させるとともに、ＲＡＭやＲＯＭにおけるデータの読み出し及び書き込みを行うことで実現される。
【００３２】
次に、本実施形態に係る携帯端末１０の動作について説明し、併せて、本実施形態に係る携帯端末１０を用いた情報表示方法について説明する。図４は、本実施形態に係る携帯端末１０により実行される文字入力処理を示すフローチャートであり、図５〜図８は、図４に示す文字入力処理における変換候補のスクロール表示の概略を示す図であり、図９は、図４に示す文字入力処理における変換候補リストのスクロール方向を示す図である。
【００３３】
図４に示すように、本実施形態に係る携帯端末１０において文字入力操作が開始されると、まず、タッチパネル１１の操作部１３により、ユーザが触れたタッチパネル上の位置情報が検出され、この位置情報が制御部１２に送信される。制御部１２では、入力制御部１５により、現在表示部１４に表示されている文字入力シート２２ａ〜２２ｅにこの位置情報が適用されて、ユーザが入力した文字データが特定される（Ｓ１０１：入力受付ステップ）。
【００３４】
つぎに、特定された文字データが変換候補作成部１６へ送信され、変換候補作成部１６により、この文字データを頭文字とする単語が予測され、さらに過去の選択履歴を考慮するなどユーザの傾向に応じて順番が決められて、変換候補リスト３１が作成される（Ｓ１０２：情報作成ステップ）。本実施形態では、ユーザにより「漢」シート２２ａを用いて「よろ」という文字入力があったときに、図９に示すように「宜しく  喜んで  ヨロシク  よろしゅう  宜しくね…」との順番で配列された変換候補リスト３１が作成された状態を例として以下の説明を続ける。作成された変換候補リスト３１は画面表示制御部１７へ送信される。
【００３５】
つぎに、画面表示制御部１７により、変換候補リスト３１がタッチパネル１１の表示部１４の変換候補表示領域２３に表示され（Ｓ１０３：情報表示ステップ）、変換候補表示領域２３に表示しきれない変換候補リスト３１があるか否かが確認される（Ｓ１０４）。変換候補表示領域２３に全ての変換候補リスト３１が表示されていると判定された場合には、ステップＳ１０９に移行する。
【００３６】
ステップＳ１０４において、変換候補表示領域２３に表示しきれない変換候補リスト３１があると判定された場合には、図５に示すように、変換候補表示領域２３にスクロールボタン２３ａが表示される（Ｓ１０５：表示制御ステップ）。本実施形態では、図３及び図９に示すように、変換候補リスト３１の１列目である「宜しく  喜んで  ヨロシク」のみが変換候補表示領域２３に表示されているので、変換候補表示領域２３にスクロールボタン２３ａが併せて表示されている。
【００３７】
そして、操作部１３及び入力制御部１５により、ユーザが、例えば指でスクロールボタン２３ａに対して接触操作を行い、この接触操作から継続して、タッチパネル１１に接触している状態を途切ることなくタッチパネル１１上を移動し続ける、図５の接触軌跡Ｌ１のような所謂接触移動が検知されると、画面表示制御部１７により、変換候補表示領域２３に表示される変換候補リスト３１が、図９に示すように下方向にスクロール表示される（Ｓ１０６：表示制御ステップ）。このスクロール表示は、操作部１３及び入力制御部１５により、ユーザがタッチパネル１１から指を離したことが検知されるまで続けられる。
【００３８】
ステップＳ１０６のスクロール表示処理において、画面表示制御部１７は、例えばタッチパネル１１上の接触軌跡Ｌ１の移動距離に応じてスクロール量を決定し、移動速度に応じてスクロール速度を決定する。図５に示す例では、変換候補表示領域２３に表示されている変換候補が、図９に示す変換候補リスト３１の１列目の「宜しく  喜んで  ヨロシク」だった状態から、タッチパネル１１上の接触軌跡Ｌ１の移動距離に応じて、４列目の「寄ろう  鎧  よろめく  よろ」まで下方向にスクロールされている。
【００３９】
つぎに、ユーザがタッチパネル１１から指を離して変換候補リスト３１の下方向へのスクロール表示が停止すると、図６に示すように、画面表示制御部１７により、変換候補表示領域２３に表示されていたスクロールボタン２３ａが、上向きスクロールのトリガとなる逆スクロールボタン２３ｂに置き換えられる（Ｓ１０７）。
【００４０】
そして、操作部１３及び入力制御部１５により、ユーザが、例えば指で逆スクロールボタン２３ｂに対して接触操作を行い、この接触操作から継続して、図７の接触軌跡Ｌ２のような接触移動が検知されると、画面表示制御部１７により、変換候補表示領域２３に表示される変換候補リスト３１が、図９に示すように上方向にスクロール表示される（Ｓ１０８）。このスクロール表示は、操作部１３及び入力制御部１５により、ユーザがタッチパネル１１から指を離したことが検知されるまで続けられる。
【００４１】
図７に示す例では、変換候補表示領域２３に表示されている変換候補が、図９に示す変換候補リスト３１の４列目の「寄ろう  鎧  よろめく  よろ」だった状態から、タッチパネル１１上の接触軌跡Ｌ２の移動距離に応じて、２列目の「寄よろしゅう  宜しくね」まで上方向にスクロールされている。
【００４２】
そして、操作部１３及び入力制御部１５により、ユーザが変換候補表示領域２３に表示されている変換候補リスト３１の中から変換候補を選択したか否かが確認される（Ｓ１０９）。ユーザが変換候補を選択していないと判定された場合には、ステップＳ１０４に戻り、再びステップＳ１０４〜Ｓ１０８の変換候補リスト３１をスクロール表示する処理が繰り返される。
【００４３】
つまり、ユーザが変換候補リスト３１から変換候補を選択するまでは、変換候補リスト３１をスクロールするたびに、変換候補表示領域２３にスクロールボタン２３ａと逆スクロールボタン２３ｂとが交互に表示され、変換候補リスト３１のスクロール方向が逆向きに切替えられる。なお、スクロールボタン２３ａ及び逆スクロールボタン２３ｂは、ユーザが接触移動を行わずこれらのボタン２３ａ，２３ｂをタッチしただけの場合にも切り替えて表示される。
【００４４】
ステップＳ１０９においてユーザが変換候補を選択したと判定された場合には、画面表示制御部１７により、選択された変換候補が本文シート２１に表示され、処理が終了する。図８に示す例では、最終的に「宜しくね」との文字列が選択され、この後に本文シート２１にこの文字列が表示される。
【００４５】
次に、本実施形態にかかる携帯端末１０の作用及び効果について説明する。本実施形態に係る携帯端末１０においては、入力制御部１５が、タッチパネル１１を介してユーザから入力された文字データを受け付け、変換候補作成部１６が、この文字データに応じた変換候補リスト３１を作成する。画面表示制御部１７が、この変換候補リスト３１をタッチパネル１１の変換候補表示領域２３に表示し、変換候補リスト３１が変換候補表示領域２３にすべて表示できない場合、ユーザによるタッチパネル１１との接触状態が途切れることなくタッチパネル１１上を移動し続ける接触移動中に、変換候補表示領域２３に表示される変換候補リスト３１をこの接触移動に伴ってスクロール表示する。
【００４６】
この構成により、ユーザから入力された文字データに応じて作成された変換候補リスト３１がタッチパネル１１の変換候補表示領域２３にすべて表示できない場合、ユーザによる接触移動中に、変換候補表示領域２３に表示される変換候補リスト３１がこの移動に伴ってスクロール表示されるため、スクロール表示の操作を受け付ける領域や軌跡に制約を受けることなく簡便にスクロール操作を行うことができ、携帯端末１０による入力操作や情報表示の利便性及び操作性を向上させることができる。
【００４７】
また、画面表示制御部１７は、変換候補リスト３１が変換候補表示領域２３にすべて表示できない場合、変換候補リスト３１のスクロール表示を開始するトリガであると共に当該スクロールの方向を決定するスクロールボタン２３ａをタッチパネル１１上に表示し、ユーザによりスクロールボタンとの接触がされると、当該接触から継続した接触移動中に、変換候補表示領域２３に表示される変換候補リスト３１を移動に伴ってスクロール表示する。
【００４８】
この構成により、ユーザによる接触移動中に、変換候補表示領域２３に表示される変換候補リスト３１がスクロールボタン２３ａにより決定される方向にスクロール表示されるため、ユーザがどのような軌跡でタッチパネル１１を接触移動したとしても所定の方向（ここでは下方向）のみで変換候補リスト３１をスクロール表示することができ、携帯端末１０による入力操作や情報表示の利便性及び操作性をさらに向上させることができる。
【００４９】
また、スクロールボタン２３ａ及び逆スクロールボタン２３ｂにより変換候補リスト３１のスクロール方向が任意に選択される。変換候補リスト３１のスクロール方向は、スクロールボタン２３ａにより下方向に決定され、逆スクロールボタン２３ｂにより上方向に決定される。これらのボタン２３ａ，２３ｂは、ユーザが表示中の一方のボタンにタッチしてタッチパネル１１から離したときに、他方のボタンに切替えて表示される。つまり、スクロール操作又はボタンへのタッチ操作を行うたびに、次のスクロール方向が逆方向となる。
【００５０】
この構成により、変換候補表示領域２３に表示される変換候補リスト３１が、スクロールボタン２３ａ及び逆スクロールボタン２３ｂにより決定される下方向及び上方向にスクロール表示されるため、ユーザがスクロール方向を適宜選択して所望の情報へ迅速に到達することができ、携帯端末１０による入力操作や情報表示の利便性及び操作性をさらに向上させることができる。
【００５１】
また、本発明の携帯端末１０では、ユーザから入力された文字データに対応して作成された変換候補リスト３１が、ユーザによるタッチパネル１１上の接触移動に伴ってスクロール表示されるため、電子メール作成などの文字入力操作の際に特に有効となる。
【００５２】
以上、本発明に係る携帯端末１０及びこの携帯端末１０を用いた情報表示方法について好適な実施形態を挙げて説明したが、本発明は上記実施形態に限られるものではない。例えば、上記実施形態では、情報表示方法の一例として文字入力操作における変換候補のスクロール表示について説明したが、本発明に係る情報表示方法は、携帯端末を用いたウェブブラウザのスクロール表示などの他の入力操作及び情報表示の用途にも適用可能である。
【図面の簡単な説明】
【００５３】
【図１】本発明の一実施形態に係る携帯端末の斜視図である。
【図２】図１に示す携帯端末の機能ブロック図である。
【図３】図１中のタッチパネルの表示画面の一例を示す図である。
【図４】本実施形態に係る携帯端末により実行される文字入力処理を示すフローチャートである。
【図５】図４に示す文字入力処理における変換候補のスクロール表示の概略を示す図の概略を示す図である。
【図６】図４に示す文字入力処理における変換候補のスクロール表示の概略を示す図の概略を示す図である。
【図７】図４に示す文字入力処理における変換候補のスクロール表示の概略を示す図の概略を示す図である。
【図８】図４に示す文字入力処理における変換候補のスクロール表示の概略を示す図の概略を示す図である。
【図９】図４に示す文字入力処理における変換候補リストのスクロール方向を示す図である。
【符号の説明】
【００５４】
１０…携帯端末、１１…タッチパネル、１５…入力制御部（入力受付手段）、１６…変換候補作成部（情報作成手段）、１７…画面表示制御部（情報表示手段、表示制御手段）、２３…変換候補表示領域（所定領域）、２３ａ…スクロールボタン、２３ｂ…逆スクロールボタン、３１…変換候補リスト（情報、変換候補）。
【図１】
2009288882.tif 000003
【図２】
2009288882.tif 000004
【図３】
2009288882.tif 000005
【図４】
2009288882.tif 000006
【図５】
2009288882.tif 000007
【図６】
2009288882.tif 000008
【図７】
2009288882.tif 000009
【図８】
2009288882.tif 000010
【図９】
2009288882.tif 000011